(57)【要約】  【課題】  ドライブメカユニットへの正常なディスク挿入に支障をきたすことなく、外部筐体とドライブメカユニットとの間の隙間にディスクが挿入されることを確実に防止することのできるディスクプレーヤを提供することである。  【解決手段】  外部筐体２００に弾性支持され、ディスクＤｋの駆動機構１２１、１２２を有するドライブメカユニット１００を有し、ドライブメカユニット１００が、そのディスク挿入側端部に配置され、ディスクＤｋのドライブメカユニット１００への引き込み及び前記ディスクＤｋのドライブメカユニット１００からの排出を行なうローラ１０を備えたディスクプレーヤであって、ドライブメカユニット１００のディスク挿入側上端縁部（１１０ａ）と外部筐体２００のディスク挿入側上端縁部２００ａとを連結する弾性板部材１１を有する構成となる。【選択図】  図２
2006196085.tif 000002
【特許請求の範囲】
【請求項１】
外部筐体に弾性支持され、ディスクの駆動機構を有するドライブメカユニットを有し、該ドライブメカユニットが、そのディスク挿入側端部に配置され、ディスクの当該ドライブメカユニットへの引き込み及び前記ディスクの前記ドライブメカユニットからの排出を行なうディスク搬送機構を備えたディスクプレーヤであって、
前記ドライブメカユニットのディスク挿入側上端縁部と前記外部筐体のディスク挿入側上端縁部とを連結する弾性板部材を有することを特徴とするディスクプレーヤ。
【請求項２】
前記弾性板部材は、前記ドライブメカユニット及び前記外部筐体それぞれの前記ディスク挿入側上端縁部の略中央部に設けられたことを特徴とする請求項１記載のディスクプレーヤ。
【請求項３】
前記ドライブメカユニットの前記ディスク挿入側上端縁部は、前記外部筐体の前記ディスク挿入側上端縁部より当該外部筐体の内側に位置し、前記弾性板部材が前記外部筐体の前記ディスク挿入側上端縁部から前記ドライブメカユニットの前記ディスク挿入側上端縁部に向けて傾斜していることを特徴とする請求項１または２記載のディスクプレーヤ。
【請求項４】
前記ドライブメカユニットは、前記ディスク搬送機構にて引き込まれたディスクが前記駆動機構にセットされた際に、そのディスク挿入側上端縁部が前記外部筐体のディスク挿入側上端縁部から離間するように移動することを特徴とする請求項１乃至３のいずれかに記載のディスクプレーヤ。
【発明の詳細な説明】
【技術分野】
【０００１】
本発明は、外部筐体に弾性支持され、ＣＤ（コンパクトディスク）、ＤＶＤ（ディジタルバーサタイルディスク）等のディスクの駆動機構を有したドライブメカユニットを有するディスクプレーヤに関する。
【背景技術】
【０００２】
従来、外部筐体と該外部筐体に弾性支持されたドライブメカユニットとの間の隙間に対するディスクの誤挿入防止機構を備えたディスクプレーヤ（ディスク記録再生装置）が提案されている（例えば、特許文献１参照）。このディスクプレーヤは、固定シャーシ（外部筐体）に移動シャーシ（ドライブメカユニット）が弾性支持（浮動状態に支持）された構造となっており、前記移動シャーシが、ディスクの引き込み及び排出を行なうローラを備えると共に、引き込まれたディスクを回転駆動させるターンテーブル等の記録再生部品を備えている。そして、前記固定シャーシのディスク挿入側上端部縁に誤挿入防止突起が形成され、その誤挿入防止突起が移動シャーシの上面を貫通するようになっている。
【０００３】
このような構造のディスクプレーヤでは、固定シャーシのディスク挿入側上端縁に誤挿入防止突起が移動シャーシの上面を貫通するように形成されているので、固定シャーシと移動シャーシの上面との間の隙間に誤挿入防止突起が位置することになる。このため、ディスクの記録再生部品を有する移動シャーシにディスクを挿入しようとする際に、前記誤挿入防止突起によって移動シャーシの上面と固定シャーシとの間の隙間に前記ディスクが誤挿入されることを防止することができる。
【特許文献１】特開２００２−２６０３１６号公報
【発明の開示】
【発明が解決しようとする課題】
【０００４】
しかしながら、前述した従来のディスクプレーヤでは、固定シャーシ（外部筐体）のディスク挿入側上端縁に形成された誤挿入防止突起の先端が移動シャーシ（ドライブメカユニット）の上面を貫通して移動シャーシ内に位置しているため、ディスクを挿入口から正常に移動シャーシ内に挿入する際に、前記ディスクが前記誤挿入防止突起の先端部に引っ掛かるおそれがある。また、移動シャーシが固定シャーシ内で振動する際に、誤挿入防止突起が移動シャーシの上面に衝突し、ディスクの記録／再生動作に悪影響を及ぼすおそれがある。
【０００５】
本発明は、前述した従来の問題を解決するためになされたもので、ドライブメカユニットへの正常なディスク挿入に支障をきたすことなく、外部筐体とドライブメカユニットとの間の隙間にディスクが挿入されることを確実に防止することのできるディスクプレーヤを提供するものである。
【課題を解決するための手段】
【０００６】
本発明に係るディスクプレーヤは、外部筐体に弾性支持され、ディスクの駆動機構を有するドライブメカユニットを有し、該ドライブメカユニットが、そのディスク挿入側端部に配置され、ディスクの当該ドライブメカユニットへの引き込み及び前記ディスクの前記ドライブメカユニットからの排出を行なうディスク搬送機構を備えたディスクプレーヤであって、前記ドライブメカユニットのディスク挿入側上端縁部と前記外部筐体のディスク挿入側上端縁部とを連結する弾性板部材を有する構成となる。
【０００７】
このような構成では、外部筐体に弾性支持されるドライブメカユニットのディスク挿入側上端縁部と前記外部筐体のディスク挿入側上端縁部とを連結する弾性板部材は、ドライブメカユニットの振動に伴って弾性変形してその連結状態を維持する。そして、ドライブメカユニットのディスク挿入側上端縁部と外部筐体のディスク挿入側上端縁部との間に挿入されようとしたディスクは、前記弾性板部材に突き当たるようになる。
【０００８】
また、本発明に係るディスクプレーヤは、前記弾性板部材が、前記ドライブメカユニット及び前記外部筐体それぞれの前記ディスク挿入側上端部縁の略中央部に設けられた構成とすることができる。
【０００９】
このような構成により、挿入されるディスクの先端は、通常、ドライブメカユニットのディスク挿入側端部の略中央部に位置することになるので、単一の弾性板部材であっても、ドライブメカユニットのディスク挿入側上端縁部と外部筐体のディスク挿入側上端縁部との間にディスクが誤挿入されることを有効に防止することができるようになる。
【００１０】
また、本発明に係るディスクプレーヤは、前記ドライブメカユニットの前記ディスク挿入側上端縁部は、前記外部筐体の前記ディスク挿入側上端縁部より当該外部筐体の内側に位置し、前記弾性板部材が前記外部筐体の前記ディスク挿入側上端縁部から前記ドライブメカユニットの前記ディスク挿入側上端縁部に向けて傾斜している構成とすることができる。
【００１１】
このような構成により、ドライブメカユニットのディスク挿入側上端縁部と外部筐体のディスク挿入側上端縁部との間に誤って挿入されようとしたディスクを、傾斜する弾性板部材に沿ってドライブメカユニットのディスク挿入側上端縁部、更に、ドライブメカユニット内に導くことができるようになる。
【００１２】
更に、本発明に係るディスクプレーヤは、前記ドライブメカユニットが、前記ディスク搬送機構にて引き込まれたディスクが前記駆動機構にセットされた際に、そのディスク挿入側上端縁部が前記外部筐体のディスク挿入側上端縁部から離間するように移動する構成とすることができる。
【００１３】
このような構成により、ディスクがドライブメカユニットに引き込まれて駆動機構にセットされた際に、ドライブメカユニットのディスク挿入側上端縁部と外部筐体のディスク挿入側上端縁部との間が離間しても、その離間動に追従して弾性板部材が弾性変形し、その弾性板部材によるドライブメカユニット及び外部筐体のディスク側上端縁部の連結状態が維持し得る。従って、ディスクがドライブメカユニットの駆動機構にセットされて該ドライブメカユニットのディスク挿入側上端縁部と外部筐体のディスク挿入側上端縁部との離間動によりそれらの隙間が大きくなっても、他のディスクを誤って前記隙間に挿入することを防止することができる。
【発明の効果】
【００１４】
本発明に係るディスクプレーヤによれば、外部筐体に弾性支持されるドライブメカユニットのディスク挿入側上端縁部と前記外部筐体のディスク挿入側上端縁部とを連結する弾性板部材は、ドライブメカユニットの振動に伴って弾性変形してその連結状態を維持するので、前記弾性板部材によってドライブメカユニット内への正常なディスクの挿入が阻害されることなく、ドライブメカユニットのディスク挿入側上端縁部と外部筐体のディスク側上端縁部との間の隙間にディスクが挿入されることを確実に防止することができるようになる。
【発明を実施するための最良の形態】
【００１５】
以下、本発明の実施の形態について、図面を用いて説明する。
【００１６】
本発明の実施の形態に係るディスクプレーヤの基本的な構成は図１（ａ）、（ｂ）に示すようになっている。なお、図１（ａ）、（ｂ）は、ディスクプレーヤのディスク挿入側端部から見た基本的な構成を示す。
【００１７】
図１（ａ）に示すように、このディスクプレーヤは、外部筐体２００と、外部筐体２００に収容されたドライブメカユニット１００とを有している。ドライブメカユニット１００は外部筐体２００に弾性支持されている。具体的には、ドライブメカユニット１００は、コイルスプリング２１ａ、２１ｂ等の複数のスプリングにて外部筐体２００に吊り下げ支持されると共に、オイルダンパ２２ａ、２２ｂ等の複数のダンパにて弾性支持されている。また、ドライブメカユニット１００を外部筐体２００内でロック／ロック解除するロック機構（図示せず）が設けられ、このロック機構によりドライブメカユニット１００が外部筐体２００内で弾性支持状態（図１（ｂ）の状態）と固定支持状態（図１（ａ）の状態）とに切換えられる。
【００１８】
ドライブメカユニット１００は、スピンドルモータにて回転されるターンテーブル等のディスクの駆動機構（図示略）と、ディスク挿入側端部に配置され、ディスクのドライブメカユニット１００への引き込み及び前記ディスクのドライブメカユニット１００からの排出を行なうローラ１０とを備えている。ディスクの挿入及び排出時には、ドライブメカユニット１００は上記ロック機構により固定支持状態とされ、図１（ａ）に示す待機位置にあり、ローラ１０にて引き込まれたディスクが前記駆動機構にセットされた際に、ドライブメカユニット１００はロック機構によるロックが解除されて弾性支持状態となり、図１（ｂ）に示すようにプレイ位置に降下し、更に、ローラ１０もまたドライブメカユニット１００とともに降下しつつドライブメカユニット１００内の所定の待避位置に移動する構造となっている。即ち、ドライブメカユニット１００は、外部筐体２００内において、前記待機位置と前記プレイ位置との間で下降動及び上昇動可能な構造となる。
【００１９】
更に、図２乃至図５を参照して、本発明の実施の形態に係るディスクプレーヤの具体的な構造について説明する。図２及び図３は、ドライブメカユニット１００が前記待機位置にある状態でのディスクプレーヤを示し、図２がディスクプレーヤをディスク挿入側端部から見た図であり、図３がその側断面図である。図４及び図５は、ドライブメカユニット１００が前記プレイ位置にある状態でのディスクプレーヤを示し、図４がディスクプレーヤをディスク挿入側端部から見た図であり、図５がその側断面図である。
【００２０】
図２及び図３において、前述したように、外部筐体２００内にオイルダンパ２２ａ、２２ｂ等の複数のダンパ及び複数のスプリング（図示略）によって弾性支持されたドライブメカユニット１００が収容されている。ドライブメカユニット１００は、ローラ１０、ガイドトッププレート１１０及びターンテーブル支持部材１２０を備えている。ガイドトッププレート１１０は、ドライブメカユニット１００のディスク挿入側端部における上面側に位置し、ローラ１０と共にディスク搬送機構を構成している。ターンテーブル支持部材１２０は、ドライブメカユニット１００の底面側に位置する。そして、ローラ１０がガイドトッププレート１１０とターンテーブル支持部材１２との間の領域に配置されている。
【００２１】
ターンテーブル支持部材１２０にはスピンドルモータ１２２が取り付けられ、スピンドルモータ１２２の回転軸にターンテーブル１２１が固定されている（駆動機構）。これにより、ターンテーブル支持部材１２０は、ターンテーブル１２１を回転自在に支持するものとなる。
【００２２】
このようにドライブメカユニット１００が待機位置にある状態では、外部筐体２００のディスク挿入側上端縁部２００ａとドライブメカユニット１００の上面側に位置するガイドトッププレート１１０のディスク挿入側先端縁部１１０ａ、即ち、ドライブメカユニット１００のディスク挿入側上端縁部との間に隙間Ｓが形成される。
【００２３】
外部筐体２００のディスク挿入側上端縁部２００ａの略中央部には、所定幅を有する板バネ１１（弾性板部材）の一端部が例えばカシメ等により固定され、板バネ１１の他端部がガイドトッププレート１１０のディスク挿入側先端縁部１１０ａの略中央部に例えばカシメ等により固定されている。これにより、外部筐体２００のディスク挿入側上端縁部２００ａとガイドトッププレート１１０のディスク挿入側先端縁部１１０ａ（ドライブメカユニット１００のディスク挿入側上端縁部）とが板バネ１１により連結された構造となる。
【００２４】
また、ガイドトッププレート１１０のディスク挿入側先端縁部１１０ａは、外部筐体２００のディスク挿入側上端縁部２００ａより外部筐体２００内側（ディスク挿入方向奥側）に位置している。このため、それらを連結する板バネ１１は、外部筐体２００のディスク挿入側上端縁部２００ａからガイドトッププレート１１０のディスク挿入側先端縁部１１０ａに向けて傾斜している（図３参照）。
【００２５】
このような構造のディスクプレーヤでは、外部筐体２００に弾性支持されるドライブメカユニット１００におけるガイドトッププレート１１０のディスク挿入側先端縁部１１０ａと外部筐体２００のディスク挿入側上端縁部２００ａとを連結する板バネ１１は、ドライブメカユニット１００の振動に伴って弾性変形してその連結状態を維持することが可能である。ドライブメカユニット１００が待機位置にある状態でディスク挿入側端部から挿入されるディスクＤｋ（図２、図３における破線参照）は、ローラ１０とガイドトッププレート１１０との間に挟持されてローラ１０の回転によって引き込まれ、ガイドトッププレート１１０とターンテーブル支持部材１２０との間を通ってターンテーブル１２１上に誘導される。このディスク挿入時に、誤ってディスクＤｋを外部筐体２００のディスク挿入側上端縁部２００ａとガイドトッププレート１１０のディスク挿入側先端縁部１１０ａとの間の隙間Ｓに挿入しようとしても、ディスクＤｋの先端が板バネ１１に突き当たり、その隙間ＳにディスクＤｋが挿入されることが防止される。
【００２６】
また、前述したようにディスクＤｋの先端が板バネ１１に突き当たったとしても、そのディスクＤｋは、傾斜する板バネ１１に沿ってドライブメカユニット１００内に導かれる。そして、ディスクＤｋは、正規に挿入された場合と同様に、ローラ１０によってドライブメカユニット１００内に更に引き込まれる。
【００２７】
ディスクＤｋがチャッキング位置に達したことが検出されると、図示外のクランパがターンテーブル１２１上に下降してディスクＤｋが前記クランパとターンテーブル１２１とによって挟み込まれる（チャッキング）。その後、前記ロック機構によるドライブメカユニット１００のロックが解除されて、ドライブメカユニット１００が、図４及び図５に示すように下降すると共にローラ１０が所定の待避位置まで移動する。その後、スピンドルモータ１２２によってターンテーブル１２１、ディスクＤｋ、前記クランパが一体的に回転駆動され、図示しないピックアップによりディクスＤｋに記録された情報が再生され、またはディスクＤｋに対して情報の書き込み動作が行われる。なお、ドライブメカユニット１００、ローラ１０及びクランパ（図示略）のこのような動作は、既知の機構にてなされる。
【００２８】
前述したようにドライブメカユニット１００が下降すると、ガイドトッププレート１１０のディスク挿入側先端縁部１１０ａ（ドライブメカユニット１００のディスク挿入側上端縁部）と外部筐体２００のディスク挿入側上端縁部２００ａとの間の隙間Ｓが広がるが、それらを連結する板バネ１１は弾性変形して、その連結状態が維持される。このため、ディスクＤｋの再生等がなされている際に、他のディスクＤｋを挿入しようとしても、板バネ１１に突き当たり、当該他のディスクＤｋがドライブメカユニット１００に挿入されること、及び当該他のディスクＤｋがガイドトッププレート１１０のディスク挿入側先端縁部１１０ａと外部筐体２００のディスク挿入側上端縁部２００ａとの間の隙間Ｓに挿入されることを防止することができる。
【００２９】
前述したような構造のディスクプレーヤによれば、外部筐体２００のディスク挿入側上端縁部２００ａとドライブメカユニット１００におけるガイドトッププレート１１０のディスク挿入側先端縁部１１０ａ（ドライブメカユニット１００のディスク挿入側上端縁部）とが弾性板部材となる板バネ１１にて連結されているので、弾性支持されるドライブメカユニット１００が振動しても、また、ドライブメカユニット１００が下降動作を行っても、板バネ１１が弾性変形して板バネ１１による前記連結状態は維持される。このため、外部筐体２００のディスク挿入側上端縁部２００ａとガイドトッププレート１１０のディスク挿入側先端縁部１１０ａとの間の隙間ＳへのディスクＤｋの誤挿入を防止するための部材（板バネ１１）を、ドライブメカユニット１００の振動、及び下降動作を考慮してドライブメカユニット１００の内部まで突出させる必要がない。従って、ドライブメカユニット１００内への正常なディスクＤｋの挿入が阻害されることなく、ガイドトッププレート１１０のディスク挿入側先端縁部１１０ａと外部筐体２００のディスク側上端縁部２００ａとの間の隙間Ｓにディスクが挿入されることを確実に防止することができる。
【００３０】
また、板バネ１１はドライブメカユニット１００の振動に伴って柔軟に弾性変形するので、ディスクＤｋの誤挿入を防止する板バネ１１がドライブメカユニット１００の移動（振動）を妨げることはなく、ディスクの記録／再生動作に悪影響を及ぼすおそれがない。
【００３１】
また、ガイドトッププレート１１０のディスク挿入側先端縁部１１０ａ（ドライブメカユニット１００のディスク挿入側上端縁部）が弾性板部材となる板バネ１１にて外部筐体２００から吊り下げ支持された構造となることから、ドライブメカユニット１００を弾性支持するために設けるべきスプリングやダンパを減らすことが可能となる。
【００３２】
更に、板バネ１１が、ガイドトッププレート１１０のディスク挿入側先端縁部１１０ａの略中央部と、外部筐体２００のディスク挿入側上端縁部２００ａの略中央部とを連結しているので、誤挿入されるディスクＤｋの最先端が板バネ１１に突き当たるようになる。このため、単一の板バネ１１であっても、ディスクＤｋの前記誤挿入を確実に防止することができるようになる。
【産業上の利用可能性】
【００３３】
以上、説明したように、本発明に係るディスクプレーヤは、ドライブメカユニットへの正常なディスク挿入に支障をきたすことなく、外部筐体とドライブメカユニットとの間の隙間にディスクが挿入されることを確実に防止することのできる構造となり、外部筐体に弾性支持され、ディスクの駆動機構を有したドライブメカユニットを有するディスクプレーヤとして有用である。
【図面の簡単な説明】
【００３４】
【図１】本発明の実施の形態に係るディスクプレーヤの基本的な構成を示す図である。
【図２】ドライブメカユニットが待機位置にある状態での本発明の実施の形態に係るディスクプレーヤをディスク挿入側端部から見た図である。
【図３】図２に示すディスクプレーヤの側断面図である。
【図４】ドライブメカユニットがプレイ位置にある状態での本発明の実施の形態に係るディスクプレーヤをディスク挿入側端部から見た図である。
【図５】図４に示すディスクプレーヤの側断面図である。
【符号の説明】
【００３５】
１０  ローラ
１１  板バネ
２１ａ、２１ｂ  コイルスプリング
２２ａ、２２ｂ  オイルダンパ
１００  ドライブメカユニット
１１０  ガイドトッププレート
１２０  ターンテーブル支持部材
１２１  ターンテーブル
１２２  スピンドルモータ
２００  外部筐体
【図１】
2006196085.tif 000003
【図２】
2006196085.tif 000004
【図３】
2006196085.tif 000005
【図４】
2006196085.tif 000006
【図５】
2006196085.tif 000007